(57)【特許請求の範囲】
【請求項１】
放射線滅菌される採血管であって、
酵素系血液凝固促進剤及びデキストランが混合溶液として前記採血管の内面に付着された後に乾燥されて封入され、
前記デキストランは、放射線滅菌前の前記酵素系血液凝固促進剤１ＩＵに対して１〜５μｇ封入されている採血管。
【請求項２】
前記酵素系血液凝固促進剤の活性が、放射線滅菌前の活性の５０％以上である請求項１に記載の採血管。
【請求項３】
放射線滅菌前の前記酵素系血液凝固促進剤の量が５０〜３００ＩＵである請求項１または２に記載の採血管。
【請求項４】
前記酵素系血液凝固促進剤がトロンビンである請求項１乃至３のいずれかに記載の採血管。
【請求項５】
前記放射線滅菌がγ線滅菌または電子線滅菌である請求項１乃至４のいずれかに記載の採血管。
【請求項６】
シクロデキストリンが封入されている請求項１乃至５のいずれかに記載の採血管。
【請求項７】
無機系凝固促進剤が封入されている請求項１乃至６のいずれかに記載の採血管。
【請求項８】
前記無機系凝固促進剤がシリカである請求項１乃至７のいずれかに記載の採血管。
【請求項９】
内部が減圧されている請求項１乃至８のいずれかに記載の採血管。
【請求項１０】
前記採血管は可撓性板状体が封入されているものであって、無機系凝固促進剤は前記可撓性板状体に付着された状態で、前記採血管に封入されている請求項１乃至９のいずれかに記載の採血管。
【発明の詳細な説明】
【技術分野】
【０００１】
本発明は、γ線や電子線などの放射線で滅菌された採血管に関する。
【背景技術】
【０００２】
従来から、凝固促進物質としてシリカなどの無機系凝固促進剤が封入された採血管（例えば、特許文献１を参照）や、凝固促進物質としてトロンビンなどの酵素系血液凝固促進剤を封入した採血管が知られている（例えば、特許文献２及び特許文献３を参照）。【０００３】
【特許文献１】特公昭５８−２７９３３号公報
【特許文献２】特許第３４０１１６２号公報
【特許文献３】特許第３９２７４２５号公報
【発明の開示】
【発明が解決しようとする課題】
【０００４】
しかしながら、無機系凝固促進剤を主とする採血管は、血液凝固時間が長いという問題がある。また、酵素系血液凝固促進剤を封入した採血管は、γ線や電子線などの放射線で滅菌処理することを前提とするものではないため、かかる滅菌処理を施した場合にトロンビンなどの酵素系血液凝固促進剤が劣化するおそれがある。したがって、γ線や電子線などの放射線で滅菌したときの安定性を有するとともに、血液凝固時間が短い採血管が望まれる。
【課題を解決するための手段】
【０００５】
上述した課題は、以下の本発明よって解決される。【０００６】
（１）本発明は、放射線滅菌される採血管であって、酵素系血液凝固促進剤及びデキストランが混合溶液として前記採血管の内面に付着された後に乾燥されて封入され、前記デキストランは、放射線滅菌前の前記酵素系血液凝固促進剤１ＩＵに対して１〜５μｇ封入されている採血管である。
【０００７】
（２）本発明は、前記酵素系血液凝固促進剤の活性が、放射線滅菌前の活性の５０％以上である上記（１）に記載の採血管である。【０００９】
（３）本発明は、放射線滅菌前の前記酵素系血液凝固促進剤の量が５０〜３００ＩＵである上記（１）または（２）に記載の採血管である。
【００１０】
（４）本発明は、前記酵素系血液凝固促進剤がトロンビンである上記（１）乃至（３）のいずれかに記載の採血管である。
【００１１】
（５）本発明は、前記放射線滅菌がγ線滅菌または電子線滅菌である上記（１）乃至（４）のいずれかに記載の採血管である。
【００１２】
（６）本発明は、シクロデキストリンが封入されている上記（１）乃至（５）のいずれかに記載の採血管である。
【００１３】
（７）本発明は、無機系凝固促進剤が封入されている上記（１）乃至（６）のいずれかに記載の採血管である。
【００１４】
（８）本発明は、前記無機系凝固促進剤がシリカである上記（１）乃至（７）のいずれかに記載の採血管である。
【００１５】
（９）本発明は、内部が減圧されている上記（１）乃至（８）のいずれかに記載の採血管である。
【００１６】
（１０）本発明は、前記採血管は可撓性板状体が封入されているものであって、無機系凝固促進剤は前記可撓性板状体に付着された状態で、前記採血管に封入されている上記（１）乃至（９）のいずれかに記載の採血管である。
【発明の効果】
【００１７】
本発明の採血管は、γ線や電子線などの放射線滅菌後、室温又はそれ以上の過酷な環境下で長期間保存しても、トロンビン等の酵素系血液凝固促進剤の活性の保存安定性に優れ、高い血液凝固性能を長期間にわたって安定して発揮することができる。また、本発明の採血管は、トロンビン等の酵素系血液凝固促進剤が少量であっても、高い血液凝固性能を有するものである。
【図面の簡単な説明】
【００１８】
【図１】本発明にかかる採血管１の断面図である。
【符号の説明】
【００１９】
１：採血管
２；有底管
３；第１の血液凝固促進剤
４；可撓性板状体
５；第２の血液凝固促進剤
６；血餅剥離性物質
７；血清分離剤
８；封止部材
９；再シール部材
【発明を実施するための最良の形態】
【００２０】
本発明は、血液凝固促進剤、特に酵素系血液凝固促進剤を使用封入した状態でγ線、電子線などの放射線によって滅菌された採血管である。酵素系血液凝固促進剤としては、トロンビン、蛇毒抽出物由来のトロンビン様酵素等、またはそれらを適宜組み合わせたものを用いることができるが、特にトロンビンが望ましい。【００２１】
酵素系血液凝固促進剤は、滅菌前に、採血管１本あたりに５０〜３００ＩＵ（活性単位）封入されていることが望ましく、７５〜１５０ＩＵがより望ましい。酵素系血液凝固促進剤の量が少ないと、放射線滅菌を行った後、十分な血液凝固促進作用を得ることが難しくなるためである。また、これより封入量が多くなると、血液に接触し酵素が溶解した際、局所的に濃度の濃い部分が出来るため均一な血液凝固が得られず局所的な凝固塊が出来やすくなり、その後の検査に用いるには不適となるためである。【００２２】
また、放射線滅菌後の酵素系血液凝固促進剤の活性は、放射線滅菌前の活性の５０％以上であることが望ましい。これにより、十分な血液凝固促進作用を得ることができる。【００２３】
滅菌条件は、γ線５〜３０ｋＧｙまたは電子線５〜３０ｋＧｙの条件が望ましく、具体的には、γ線１６ｋＧｙや電子線３０ｋＧｙでの条件があげられる。これにより、採血管内部が滅菌される。【００２４】
本発明において、デキストランは、採血管１本あたりに滅菌前の酵素系血液凝固促進剤１ＩＵに対して１〜５μｇ封入されていることが望ましく、２〜４μｇがより望ましい。なお、デキストランは採血管１本あたり０．３ｍｇ以下であることが望ましい。これにより、酵素系血液凝固促進剤を放射線滅菌から保護するとともに、高分子量のデキストランを使用しながらも溶液（採血管の内面に酵素系血液凝固促進剤及びデキストランを付着させる際に、それらを混合溶液として付着させた後に乾燥させる場合の溶液）の粘度上昇を小幅に抑えことができる。デキストランは、分子量が４０００〜５０００００のものを用いるのが望ましく、４００００〜２０００００のものがより望ましい。【００２５】
本発明においては、酵素系血液凝固促進剤及びデキストランのほかに、シクロデキストリンを配合することもできる。その量は、採血管１本あたりに酵素系血液凝固促進剤１ＩＵに対して１〜５μｇ封入されていることが望ましく、２〜４μｇがより望ましい。なお、デキストランとシクロデキストリンとを合わせた総量が採血管１本あたり０．６ｍｇ以下であることが望ましい。【００２６】
これにより、酵素系血液凝固促進剤を放射線滅菌から保護する効果を増大させつつ、溶液（採血管の内面に酵素系血液凝固促進剤、デキストラン及びシクロデキストリンを付着させる際に、それらを混合溶液として付着させた後に乾燥させる場合の溶液）の粘度上昇を小幅に抑えことができる。なお、シクロデキストリンとしては、γ−シクロデキストリン、α−シクロデキストリンなどがあげられる。【００２７】
本発明において採血管にヘパリン加血を保存する場合は、トロンビンのみでは凝固が不十分であるため、硫酸プロタミンを封入するのが好ましい。硫酸プロタミンは、ヘパリンの血液凝固阻止作用と拮抗し、トロンビンの活性を発現することができる。硫酸プロタミンを使用できない場合は、酵素系血液凝固促進剤として、蛇毒抽出物由来のトロンビン様酵素を用いることにより同様の効果を得ることができる。硫酸プロタミンを用いる場合は、これを採血管内部の任意の部位に封入することができる。例えば、可撓性板状体もしくは採血管内面のいずれかに、酵素系血液凝固促進剤と混合したものを付着させることができる。【００２８】
本発明においては、酵素系血液凝固促進剤とともに無機系凝固促進剤も使用することもできる。無機系凝固促進剤としては、シリカ粒子、ガラス粉末、または珪藻土やカオリン等のＳｉＯ2を含む混合物等を用いることができる。【００２９】
無機系凝固促進剤は、採血管１本あたりに滅菌前の酵素系血液凝固促進剤１ＩＵに対し、１〜２５μｇ封入されていることが望ましく、１〜１０μｇがより望ましい。これにより、酵素系血液凝固促進剤と無機系凝固促進剤の双方による血液凝固の均一化を図ることができる。【００３０】
本発明において、採血管としては、その形状は、従来から採血管として使用されている７〜１０ｍｌ容量の有底管を用いることができる。その材質としては、ガスバリアー性の高い、ポリエチレンテレフタレート、共重合ポリエチレンテレフタレート等のポリエステル、ポリアクリロニトリル、ポリメチルメタアクリレート、ポリメタアクリル酸等のアクリル樹脂、ポリプロピレン、ポリエチレン等のポリオレフィン、ポリ塩化ビニル、ナイロン等のポリアミド、ポリスチレンなどの熱可塑性樹脂のほか、ガラス等の無機材質を使用することができる。【００３１】
本発明においては、採血管内に、少なくとも一部が採血管内面に接触しないように可撓性板状体を挿入することが望ましい。可撓性板状体は、採血管の内径よりやや大きな径を有するものを撓ませて採血管内に挿入することで、採血管内面によって狭持された状態で収納できるものなどを使用することができる。その形状は、円形、四角形など特に限定されずに使用できる。【００３２】
酵素系血液凝固促進剤または無機系凝固促進剤の担体として可撓性板状体を用いることによって、酵素系血液凝固促進剤または無機系凝固促進剤の付着工程、採血管への封入工程が簡便となり、また、可撓性板状体を採血管内に狭持させることによって、製品搬送中に担体である可撓性板状体が採血管内部で遊ぶことがなく、酵素系血液凝固促進剤または無機系凝固促進剤の付着状態の安定性が得られる。さらに、本発明においては、酵素系血液凝固促進剤または無機系凝固促進剤の一方を採血管内面に付着させ、他方を可撓性板状体に付着させ、採血管内に封入することで、それぞれが混在することがなくなるため、局所的な凝固遅延が発生しにくくなる。【００３３】
また、採血管内に後述する血清分離剤が収納されている場合、血清分離剤から離れた位置に可撓性板状体を狭持させ、血清分離剤と可撓性板状体が接触していない状態とすることにより、血清分離剤が血液凝固促進剤と接触して凝固時間に誤差が生じる等の問題がなくなる。【００３４】
本発明においては、酵素系血液凝固促進剤は採血管の内面に付着され、無機系凝固促進剤は可撓性板状体に付着された状態で、採血管に封入されていることが望ましい。これにより、採血の際に血液が、酵素系血液凝固促進剤と無機系凝固促進剤とに段階的に接触するため、局所的な凝固を防ぎながらも迅速に血液が凝固する。【００３５】
なお、デキストラン及びシクロデキストリンは、酵素系血液凝固促進剤と共に採血管の内面に付着された状態で、採血管に封入されていることが望ましい。これにより、酵素系血液凝固促進剤を放射線滅菌から保護することができる。【００３６】
酵素系血液凝固促進剤、デキストラン及びシクロデキストリンは、採血管の開口端近傍を避けていれば、採血管の内面のどの部位にどのように付着させても良く、採血管の内面の全面に付着させても、一部のみに付着させても良い。付着方法としてはスプレーコート、ディッピング、ポンプによる注入等の方法により塗布し、後に風乾、熱乾燥、減圧乾燥等の方法により乾燥させることなどがあげられる。【００３７】
本発明において可撓性板状体としては、血清より高い比重を有するプラスチック製フィルムであれば何でもよく、例えば、延伸ＰＥＴフィルム、ナイロンフィルム、フィラー充填ＰＰフィルム、フィラー充填ＰＥフィルム、プラスチックラミネートアルミ箔フィルム等が用いられ、さらに血液凝固促進剤が付着させやすいように、表面処理、例えばプラズマ処理やエンボス加工を施したものも用いられる。また、可撓性板状体として血清より高い比重を有する不織布を板状体に加工したものでもよく、不織布の材料としては、ポリエステル、ナイロン、レーヨンおよびそれらを組み合わせたものが用いられる。さらに前述のフィルムに不織布を重ねたあわせたものでもよい。【００３８】
本発明においては、採血管の内面には血餅剥離物質を塗布することが好ましい。血餅剥離性物質を塗布する方法としては、採血管内に噴霧または採血管内に血餅剥離性物質を満たした後除去し、風乾、熱乾燥、減圧乾燥等の方法により乾燥するという方法がある。採血管の内面に血餅剥離性物質を塗布する場合、先に血餅剥離性物質を塗布し、その後その上から酵素系血液凝固促進剤等を採血管内面の一部または全体に付着させるが、順序を逆にして、酵素系血液凝固促進剤等を採血管内壁の一部または全体に付着させ、その後その上から血餅剥離性物質を塗布しても構わない。【００３９】
本発明の血餅剥離性物質としては、ポリエーテル変性シリコーンオイル等の水溶性シリコーン、ジメチルポリシロキサン等の変性シリコーンオイル、ポリプロピレングリコール等のグリコール類、パラフィン、ワックス類、フタル酸ジオクチル等の可塑剤、各種セルロース誘導体等が好ましい。【００４０】
本発明において、採血管内に血清分離剤が収納されていてもよい。この場合、先述したとおり、採血管内に可撓性板状体を狭持させ、血清分離剤と可撓性板状体が接触しないようにすることが望ましい。こうすることにより、血清分離剤が血液凝固促進剤と接触して凝固時間に誤差が生じる等の問題がなくなる。【００４１】
血清分離剤としては、特に限定されず既知のものが使用可能であり、ポリエステル系樹脂に無機充填剤を配合したもの、ポリブテン系樹脂に無機充填剤を配合したもの、アクリル系樹脂に無機充填剤を配合したもの等や、α-オレフィン・マレイン酸エステル共重合体を主成分とするものやシリコーンを主成分とし、これに粘度、比重調整剤を添加したもの等が挙げられる。【００４２】
本発明おいて採血管は、開口を弾性栓体やフィルムなどからなる封止部材によって封止し、内部が減圧されているものであることが望ましい。これによって、採血時に血液を採血管内に導入しやすくなる。【００４３】
弾性栓体の材料としては、天然ゴムやイソプレンゴム等のゴム材質のものや、スチレン−ブタジエン−スチレン（ＳＢＳ）共重合体等の熱可塑性エラストマーがあげられる。フィルムとしては、アルミ箔等の金属箔、エチレン−ビニルアルコール共重合体やポリ塩化ビニリデン等の樹脂フィルム等があげられる。また、封止部材にフィルムを用いる場合には、採血針等を穿刺する部位に上記弾性栓体の材料と同等の材料からなる再シール部材を設けることが望ましい。
【実施例】
【００４４】
以下、図1を参照しながら、本発明を具体的に説明する。図１は本発明にかかる採血管１の断面図である。【００４５】
＜採血管の製造方法＞
市販の採血管（ベノジェクト（登録商標）ＩＩ  テルモ株式会社）で使用されているポリエチレンテレフタレート樹脂からなる有底管２（容積７ｍｌ）に、市販の採血管（ベノジェクト（登録商標）ＩＩ  テルモ株式会社）で使用されているポリエステル系樹脂に無機充填剤を配合した血清分離剤６を１．７ｇ充填した。【００４６】
次いで、分子量７００００のデキストラン（デキストラン７０  名糖産業株式会社）をリン酸緩衝液と混合し、トロンビン（牛トロンビンＴ９６８１  ＳＩＧＭＡ社）を添加して得られた液を、有底管２内の内面にピペットにより管口から１０ｍｍ以上管底側に離れた範囲に塗布し、第１の血液凝固促進剤３とした。【００４７】
次いで、平均粒径６μｍのシリカ微粉を１００ｍｇ／ｍｌになるように水と混合し、これにポリビニルピロリドンを１．５重量％添加して得られた液を、延伸ＰＥＴフィルム（厚さ：５０μｍ）からなる可撓性板状体４の片面に均一に５μｌ塗布し風乾させることで第２の血液凝固促進剤５とした。そして、第２の血液凝固促進剤５を有する可撓性板状体４を有底管２の内部の中間部分に挟持させた。【００４８】
次いで、有底管２の開口部を所定の減圧下でアルミ箔多層フィルムからなる封止部材８で密封し、その天面にイソプレンゴムからなる再シール性部材９を接着した。その後、γ線１６ｋＧｙを照射し滅菌を行い、本発明に係る採血管１を得た。【００４９】
＜トロンビンの活性測定方法＞
得られた採血管１を４０℃の湯に浸した後、恒温槽で４０℃を保ったまま所定時間経過させ、第１の血液凝固促進剤３に含まれるトロンビンの活性を測定した。なお、活性には、以下の方法により作成した検量線を用いた。【００５０】
１．  まず、生理食塩水（テルモ株式会社）１０ｍｌに牛フィブリノーゲンＦ−４７５３（ＳＩＧＭＡ社）４２ｍｇを加え、かき混ぜずに静置して溶解させた。【００５１】
２．  次いで、生理食塩水（テルモ株式会社）１０ｍｌにトロンビン（牛トロンビン  和光純薬工業株式会社）（９０ＩＵ／ｍｇ）を１１．１ｍｇ取り溶解させ、この溶液を希釈し、標準トロンビン溶液として３種（２．５Ｕ／ｍｌ、１．８７５Ｕ／ｍｌ、１．２５Ｕ／ｍｌ）の溶液を調製した。【００５２】
３.  そして、サンプルチューブに１で得たフィブリノーゲン溶液を６００μｌ注入した後、２で得た標準トロンビン溶液を４００μl加え、同時にストップウォッチで反応時間を測定した。この時、サンプルチューブを一定間隔で攪拌し、フィブリン（白色ゲル）が析出するまでの時間を記録した。この作業を３種の標準トロンビン溶液それぞれで測定を行い、検量線を作成した。【００５３】
（実施例１）
上記採血管製造方法において、トロンビンを２０ＩＵ／μｌ、デキストランを２．３５（ｗ／ｖ）％になるよう配合した第１の血液凝固促進剤３を、採血管１本あたりにトロンビンが１００ＩＵとなるように分注し、滅菌することで採血管を作製した。なお、滅菌はγ線１６ｋＧｙを照射することによって行った。【００５４】
得られた採血管を４０℃の湯浴で所定の時間経時させた後、採血管内部のトロンビンを生理食塩水に任意の割合で溶解させ、そのトロンビン溶液の反応時間を測定した後、検量線から残存するトロンビン活性を決定した。結果を表１に示す。【００５５】
（実施例２）
上記採血管製造方法において、トロンビンを２０ＩＵ／μｌ、デキストランを４．７１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００５６】
（実施例３）
上記採血管製造方法において、トロンビンを２０ＩＵ／μｌ、デキストランを９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００５７】
（実施例４）
上記採血管製造方法において、トロンビンを４０ＩＵ／μｌ、デキストランを９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００５８】
（実施例５）
上記採血管製造方法において、トロンビンを４０ＩＵ／μｌ、デキストランを９．４１（ｗ／ｖ）％、γ−シクロデキストリン（ＣＡＶＡＭＡＸ（登録商標）Ｗ８  Ｆｏｏｄ  ワッカー社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００５９】
（実施例６）
上記採血管製造方法において、トロンビンを１００ＩＵ／μｌ、デキストランを２３．５３（ｗ／ｖ）％、γ−シクロデキストリン（ＣＡＶＡＭＡＸ（登録商標）Ｗ８  Ｆｏｏｄ  ワッカー社）を２３．５３（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６０】
（実施例７）
上記採血管製造方法において、デキストランをデキストラン２００，０００（Ｍｗ＝１８０，０００〜２１０，０００）（和光純薬株式会社）に変更し、トロンビンを４０ＩＵ／μｌ、デキストランを９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６１】
実施例(８)
上記採血管製造方法において、トロンビンを１００ＩＵ／μｌ、デキストランを２３．５３（ｗ／ｖ）％、γ−シクロデキストリン（ＣＡＶＡＭＡＸ（登録商標）Ｗ８  Ｆｏｏｄ  ワッカー社）を２３．５３（ｗ／ｖ）％になるよう配合した第１の血液凝固促進剤３を、採血管１本あたりにトロンビンが６０ＩＵとなるように分注し、滅菌することで採血管を作製した。なお、滅菌は電子線３０ｋＧｙを照射（ＥＢ滅菌）することによって行った。その後、実施例１と同様の手順でトロンビンの活性測定を行った。結果を表１に示す。【００６２】
（比較例１）
上記採血管製造方法において、トロンビンを２０ＩＵ／μｌになるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６３】
（比較例２）
上記採血管製造方法において、トロンビンを２０ＩＵ／μｌ、デキストランを０．５９（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６４】
（比較例３）
上記採血管製造方法において、トロンビンを２０ＩＵ／μｌ、デキストランを１．１８（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６５】
（比較例４）
上記採血管製造方法において、デキストランを配合せずに、トロンビンを２００ＩＵ／μｌになるよう配合した第１の血液凝固促進剤３を、採血管１本あたりにトロンビンが３００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６６】
（比較例５）
上記採血管製造方法において、デキストランを配合せずに、トロンビンを４０ＩＵ／μｌになるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６７】
（比較例６）
上記採血管製造方法において、デキストランを配合せずに、トロンビンを４０ＩＵ／μｌ、グリシンを９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６８】
（比較例７）
上記採血管製造方法において、デキストランを配合せずに、トロンビンを４０ＩＵ／μｌ、ポリエチレングリコール（分子量：２００００）（和光純薬工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００６９】
（比較例８）
上記採血管製造方法において、デキストランを配合せずに、トロンビンを４０ＩＵ／μｌ、ポリビニルアルコール（分子量：６６０００）（関東化学株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７０】
（比較例９）
上記採血管製造方法において、デキストランを配合せずに、トロンビンを４０ＩＵ／μｌ、ポリビニルピロリドン（分子量：２００００）（東京化成工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７１】
（比較例１０）
上記採血管製造方法において、デキストランを配合せずに、トロンビンを４０ＩＵ／μｌ、メチルセルロース（和光純薬工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７２】
（比較例１１）
上記採血管製造方法において、デキストランを配合せずに、トロンビンを４０ＩＵ／μｌ、ヒドロキシプロピルセルロース（和光純薬工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７３】
（比較例１２）
上記採血管製造方法において、デキストランを配合せずに、トロンビンを４０ＩＵ／μｌ、カルボキシメチルセルロースナトリウム（和光純薬工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７４】
（比較例１３）
上記採血管製造方法において、デキストランを配合せずに、トロンビンを４０ＩＵ／μｌ、ポリオキシエチレンラウリルエーテル（エマルゲン１２３Ｐ  花王株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７５】
（比較例１４）
上記採血管製造方法において、デキストランを配合せずに、トロンビンを４０ＩＵ／μｌ、ジブチルヒドロキシトルエン（和光純薬工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７６】
（比較例１５）
上記採血管製造方法において、デキストランを配合せずに、トロンビンを４０ＩＵ／μｌ、４−メトキシフェノール（和光純薬工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７７】
（比較例１６）
上記採血管製造方法において、デキストランを配合せずに、トロンビンを４０ＩＵ／μｌ、４−ヒドロキシ−３−メトキシ桂皮酸（和光純薬工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。  【００７８】
結果を表１に示す。
（比較例１７）
上記採血管製造方法において、デキストランを配合せずに、トロンビンを４０ＩＵ／μｌ、アスタキサンチン（水溶性アスタリール（登録商標）  富士化学工業株式会社）を９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。その後、実施例１と同様の手順でトロンビンの活性測定を行った。結果を表１に示す。【００７９】
（比較例１８）
上記採血管製造方法において、デキストランを配合せずに、トロンビンを２００ＩＵ／μｌになるよう配合した第１の血液凝固促進剤３を、採血管１本あたりにトロンビンが３００ＩＵとなるように分注し、滅菌することで採血管を作製した。なお、滅菌は実施例８と同じ条件で行った。その後、実施例１と同様の手順でトロンビンの活性測定を行った。結果を表１に示す。【００８０】
（トロンビンの活性測定の結果）
表１に示すとおり、本発明の実施例の採血管は、放射線滅菌直後、その後の経時変化においても、比較例に比べ優れたトロンビンの活性を示すものであった。また、デキストランを配合せずにトロンビンを大量に配合したものと比べても同等またはそれよりも優れたトロンビンの活性を示すものであった。【００８１】
なお、表１中で残存するトロンビン活性は、「滅菌直後」で、５０％以上残存する場合は「○」、２０〜４９％残存する場合は「△」、１９％以下残存の場合は「×」で示し、「滅菌後加速経時４日」で、２０％以上残存する場合は「○」、１０〜１９％残存する場合は「△」、９％以下残存の場合は「×」で示し、「滅菌後加速経時７日」で、１０％以上残存する場合は「○」、５〜９％残存する場合は「△」、４％以下残存の場合は「×」で示した。【００８２】
【表１】
0005433564.tif 000002
【００８３】
＜人新鮮血の凝固反応時間の測定＞
本発明の採血管での人新鮮血の凝固反応時間の確認を行った。以下の実施例８、比較例１９及び比較例２０の採血管に人新鮮血５ｍｌを注入し、５回転倒混和した後に静置し、血液が凝固する時間を測定した。凝固確認は採血管を水平に倒した後、血液面が水平面に対して４５度以上の確保できるようになるまでの時間を計測した。【００８４】
（実施例９）
上記採血管製造方法において、トロンビンを４０ＩＵ／μｌ、デキストランを９．４１（ｗ／ｖ）％になるよう配合した第１の血液凝固促進剤３を、採血管１本あたりにトロンビンが１００ＩＵとなるように分注し、滅菌することで採血管を作製した。なお、滅菌は実施例１と同じ条件で行った。結果を表２に示す。【００８５】
（比較例１９）
上記採血管製造方法において、トロンビンを４０ＩＵ／μｌになるよう配合した第１の血液凝固促進剤３を、採血管１本あたりにトロンビンが１００ＩＵとなるように分注し、滅菌することで採血管を作製した。なお、滅菌は実施例１と同じ条件で行った。結果を表２に示す。【００８６】
（比較例２０）
上記採血管製造方法において、トロンビンを配合せず、第２の血液凝固促進剤５（シリカ微粉が付着した延伸ＰＥＴフィルム）のみを挟持させ、滅菌することで採血管を作製した。なお、滅菌は実施例１と同じ条件で行った。結果を表２に示す。【００８７】
（人新鮮血の凝固反応時間の測定の結果）
表２に示すとおり、本発明の実施例の採血管は、放射線滅菌直後、その後の経時変化においても、比較例に比べ優れた血液凝固性能を示すものであった。なお、表２中、１２０秒以内で凝固したものを「○」、１２０秒以上３００秒以内で凝固したものを「△」、３００秒以上９００秒以内で凝固したものを「×」で示した。【００８８】
【表２】
0005433564.tif 000003
【図１】
0005433564.tif 000004